(57)【要約】【課題】  ２種類のデータレートの共存を可能にする。【解決手段】  センターの光終端装置（ＯＬＴ）１０は、光ファイバ１２，光カップラ１４，光ファイバ１６−１，１６−２を介して光終端装置（ＯＮＵ）１８−１，１８−２と接続する。ＯＮＵ１８−１は、既存のデータレートに対応し、ＯＮＵ１８−２は、既存のレートの２倍のレートに対応する。ＯＬＴ１０は、ＯＮＵ１８−１向けのデータを既存のデータレートでＯＮＵ１８−１に送信し、ＯＮＵ１８−２向けのデータを既存のデータレートの２倍のレートで送信する。ＯＬＴ１０は、プリアンブルを既存のデータレートで光伝送路（１２，１４，１６−１，１６−２）に出力する。【選択図】  図１
2011045150.tif 000002
【特許請求の範囲】
【請求項１】
第１のデータレートに対応する第１のユーザ光終端装置（１８−１）と当該第１のデータレートよりも速い第２のデータレートに対応する第２のユーザ光終端装置（１８−２，１８−２ａ）を含む複数のユーザ側光終端装置と、
光伝送路（１２，１４，１６−１，１６−２）を介して当該複数のユーザ側光終端装置と接続するセンター側光終端装置（１０，１０ａ）
とを具備する光伝送システムにおいて、当該第２のユーザ光終端装置として使用される光終端装置であって、
当該光伝送路からの光信号を電気信号に変換する受光器（７２）と、
当該受光器（７２）から出力される電気信号を当該第２のデータレートに応じた周波数で再生するデータ再生装置（７４）と、
当該センター側光終端装置（１０，１０ａ）から送信されたデータのデータレートが、当該第１及び第２のデータレートの何れであるかを判別する判別装置（８０）と、
当該センター側光終端装置（１０，１０ａ）から送信されたデータのデータレートが当該第１のデータレートである場合に、当該データ再生装置（７４）による再生データから重複データを除去する重複除去装置（８２）
とを具備することを特徴とする光終端装置。
【請求項２】
当該センター側光終端装置が、
当該第１のユーザ光終端装置（１８−１）及び当該第２のユーザ光終端装置（１８−２，１８−２ａ）の何れに対しても、当該第１のデータレートに対応するレートのプリアンブブルを発生するプリアンブル生成装置（４６）と、
当該第１のユーザ光終端装置（１８−１）に送信すべきデータを含むペイロードを当該第１のデータレートに対応するレートで出力し、当該第２のユーザ光終端装置（１８−２，１８−２ａ）に送信すべきデータを含むペイロードを当該第２のデータレートに対応するレートで出力するペイロード生成装置（３８）
とを具備することを特徴とする請求項１に記載の光終端装置。
【請求項３】
当該ペイロードデータ生成装置が、送信すべきデータを所定符号長に変換する符号長変換器（３８）を含む請求項２に記載の光終端装置。
【請求項４】
当該センター側光終端装置が更に、当該第１のユーザ光終端装置（１８−１）に送信すべきデータ及び当該第２のユーザ光終端装置（１８−２，１８−２ａ）の何れに対しても、当該第１のデータレートに対応するレートのインターフレームギャップを発生するインターフレームギャップ生成装置（４８）を具備することを特徴とする請求項２又は３に記載の光終端装置。
【発明の詳細な説明】
【技術分野】
【０００１】
本発明は、光終端装置に関し、より具体的には、パッシブ光ネットワーク（ＰＯＮ）のような１対多のデータ伝送において、２種類のデータ伝送レートのサービスを収容可能な光伝送システムにけるユーザ側に配置される光終端装置に関する。
【背景技術】
【０００２】
ＰＯＮでは、センター局に配置される光終端装置（ＯＬＴ）と、それぞれ異なるユーザ宅に配置される複数の光終端装置（ＯＮＵ）とを、パッシブな光伝送路で接続する。ＥＰＯＮでは、更に、ＯＬＴとＯＮＵとの間に論理的なリンク（Logical Link）を設定し、この論理リンクを使うことで、ＯＬＴは特定のＯＮＵにデータを送信でき、データ送信元のＯＮＵを特定する。
【０００３】
従来のＰＯＮシステムでは、ＯＬＴとＯＮＵとを接続する光伝送路上でのデータ伝送レートは一定であり、１つのデータ伝送レート、例えば、１．２５Ｇｂｐｓに対応するＯＬＴとＯＮＵが使用される。
【先行技術文献】
【特許文献】
【０００４】
【特許文献１】特開２０００−０４９８２３号公報
【発明の概要】
【発明が解決しようとする課題】
【０００５】
昨今、ブロードバンド化が進み、ＰＯＮにおいても、より高速なデータ伝送又は通信を享受したいとする要望がある。他方で、既存のデータ伝送レートで充分であるとするユーザもいる。
【０００６】
このような状況では、高速なサービスを希望するユーザにはより高速なデータ伝送を提供でき、既存のサービスで充分とするユーザには、既存のデータ伝送レートのサービスを維持するという利用法が可能なＰＯＮシステムが望まれる。即ち、異なるデータ伝送レートのデータ伝送に対応可能なＰＯＮシステムが望まれている。換言すると、異なるデータレートに対応するＯＮＵを混在できるＰＯＮシステムが望まれている。
【０００７】
そこで、本発明は、異なるデータ伝送レートの光終端装置を混在可能な光伝送システムでユーザ側に配置される光終端装置を提示することを目的とする。
【課題を解決するための手段】
【０００８】
本発明に係る光終端装置は、第１のデータレートに対応する第１のユーザ光終端装置と当該第１のデータレートよりも速い第２のデータレートに対応する第２のユーザ光終端装置を含む複数のユーザ側光終端装置と、光伝送路を介して当該複数のユーザ側光終端装置と接続するセンター側光終端装置とを具備する光伝送システムにおいて、当該第２のユーザ光終端装置として使用される光終端装置であって、当該光伝送路からの光信号を電気信号に変換する受光器と、当該受光器から出力される電気信号を当該第２のデータレートに応じた周波数で再生するデータ再生装置と、当該センター側光終端装置から送信されたデータのデータレートが、当該第１及び第２のデータレートの何れであるかを判別する判別装置と、当該センター側光終端装置から送信されたデータのデータレートが当該第１のデータレートである場合に、当該データ再生装置による再生データから重複データを除去する重複除去装置とを具備することを特徴とする。
【発明の効果】
【０００９】
本発明により、第１のデータレートで運用されている光伝送システムに、より高速の第２のデータレートのデータ伝送を取り込むことができる。また、２種類のデータレートを共存させることができるので、より多様なサービスが可能になる。
【図面の簡単な説明】
【００１０】
【図１】本発明の第１実施例の概略構成ブロック図である。
【図２】低速ＯＮＵ１８−１に対する下り信号のフレーム構成図である。
【図３】高速ＯＮＵ１８−２に対する下り信号のフレーム構成図である。
【図４】本発明の第２実施例の概略構成ブロック図である。
【発明を実施するための形態】
【００１１】
以下、図面を参照して、本発明の実施例を詳細に説明する。
【実施例１】
【００１２】
図１は、本発明の一実施例の概略構成ブロック図を示す。センター局に配置される光終端装置（ＯＬＴ）１０は、光ファイバ１２を介して光カップラ１４に接続する。光カップラ１４はまた、光ファイバ１６−１，１６−２を介してそれぞれ、ユーザ宅の光終端装置（ＯＮＵ）１８−１，１８−２に接続する。光カップラ１４は、光ファイバ１２からの光信号を２分割し、各分割光信号を光ファイバ１６−１，１６−２に出力する。光カップラ１４はまた、光ファイバ１６−１，１６−２からの光信号を光ファイバ１２に出力する。上りと下りには、別波長が使用される。ＯＮＵ１８−１には、コンピュータ（ＰＣ）２０−１が接続し、ＯＮＵ１８−２には、コンピュータ（ＰＣ９２０−２が接続する。ＯＬＴ１０はまた、エッジルータ２２を介して上位ネットッワークに接続する。
【００１３】
本実施例では、データ伝送は、もっぱら同期用に使用されるプリアンブル、データ自体を搬送するペイロード、及び後続のフレームとの分離を示すインターフレームギャップＩＦＧからなるフレーム構造を基本とする。ペイロードには、例えば、イーサネット（登録商標）のイーサネットフレームが格納される。ＥＰＯＮシステム上では、ＯＮＵ１０とＯＬＴ１８−１，１８−２との間に、各利用サービス（データ伝送、ＩＰ電話及びＩＰ方法等）に応じた論理リンク（Logical Link）が設定され、各論理リンクは、その識別情報ＬＬＩＤ（Logical Link IDentifier）で識別される。一例では、プリアンブルは８バイト、ペイロードは、６４乃至１５１８バイト、ＩＦＧは１２バイト以上である。ＶＬＡＮ（Ｖｉｒｔｕａｌ  ＬＡＮ）を使用する場合、ペイロードは最大で１５２２バイトである。
【００１４】
この実施例では、ＯＮＵ１８−１は、既存の１Ｇｂｐｓ対応であり、ＯＮＵ１８−２が２Ｇｂｐｓ対応である。ＯＬＴ１０は、１Ｇｂｐｓと２Ｇｂｐｓの両方に対応する。図１に示すＰＯＮシステムには、３つ以上のＯＮＵを接続可能であるが、図１には、最小限のＯＮＵが接続する接続例を図示した。１ＧｂｐｓベースのＰＯＮシステムの１つのＯＮＵを２Ｇｂｐｓ対応のＯＮＵに変更する場合、同時に、ＯＬＴを１Ｇｂｐｓと２Ｇｂｐｓの両方に対応するＯＬＴ１０に変更する。
【００１５】
本実施例では、ＯＬＴ１０は、ユニキャストの場合、１Ｇｂｐｓに対応するＯＮＵ１８−１には、１Ｇｂｐｓでデータを送信し、２Ｇｂｐｓに対応するＯＮＵ１８−２には２Ｇｂｐｓでデータを送信する。マルチキャスト又はブロードキャストの場合、ＯＬＴ１０は、全てのＯＮＵが受信可能な１Ｇｂｐｓでデータを送信する。また、１Ｇｂｐｓに対応するＯＮＵ１８−１は、ＯＬＴ１０に１Ｇｂｐｓでデータを送信し、２Ｇｂｐｓに対応するＯＮＵ１８−２は、ＯＬＴ１０に２Ｇｂｐｓでデータを送信する。
【００１６】
なお、ＧＥ（Gigabit Ethernet（Ethernetは登録商標））−ＰＯＮシステムでは、送信側は、８ビット長を１０ビット長に変換する８Ｂ／１０Ｂ変換を行い、受信側は、１０ビット長を８ビット長に戻す１０Ｂ／８Ｂ変換を行う。８ビット長の１Ｇｂｐｓは、１０ビット長の１．２５Ｇｂｐｓに対応し、８ビット長の２Ｇｂｐｓは、１０ビット長の２．５Ｇｂｐｓに対応する。
【００１７】
ＯＬＴ１０のＯＬＴ制御装置３０は、各ＯＮＵ１８−１，１８−２がそれぞれ光ファイバ１６−１，１６−２に接続されたときに、各ＯＮＵ１８−１，１８−２の処理能力、即ち、１Ｇｂｐｓ対応か、２Ｇｂｐｓ対応かを調べ、その結果をＯＮＵ管理テーブル３２に格納している。ＯＬＴ制御装置３０はまた、各ＯＮＵ１８−１，１８−２の各利用サービス（データ伝送、ＩＰ電話及びＩＰ方法等）に応じた論理リンク（Logical Link）を設定し、その識別情報であるＬＬＩＤ（Logical Link IDentifier）をＯＮＵ管理テーブル３２に格納する。
【００１８】
本実施例の下り信号の処理を説明する。上位ネットワークからエッジルータ２２を介してネットッワークインターフェース３４に、ＯＮＵ１８−１又は１８−２に供給すべきデータが、例えばイーサネットフレーム形状で入力する。ネットワークインターフェース３４は、エッジルータ２２からのデータを、バッファ３６に供給する。バッファ３６は、入力データを８Ｂ／１０Ｂ変換器３８に供給すると共に、データの宛先情報（例えば、ＭＡＣアドレス又はＩＰアドレス等）をＯＬＴ制御装置３０に通知する。
【００１９】
発振器４０は、２．５ＧＨｚで発振し、その出力クロックは、１／２の分周装置４２とスイッチ４４に印加される。スイッチ４４の別の入力には分周装置４２の出力が印加される。スイッチ４４は、ＯＬＴ制御装置３０からの制御信号に従い、発振器４０の出力クロック（２．５ＧＨｚ）と分周装置４２の出力クロック（１．２５ＧＨｚ）の何れか一方を８Ｂ／１０Ｂ変換器３８に印加する。８Ｂ／１０Ｂ変換器３８は、スイッチ４４からのクロックに従う速度で、バッファ３６からのデータを８ビット長符号から１０ビット長符号に変換する。分周装置４２の出力クロックは、プリアンブル生成装置４６とＩＦＧ生成装置４８にも印加される。
【００２０】
ＯＬＴ制御装置３０は、宛先がＯＮＵ１８−２の場合、スイッチ４４に発振器４０の出力を選択させ、宛先が１Ｇｂｐｓ対応のＯＮＵを含む場合、例えば、宛先がＯＮＵ１８−１のみの場合、又は１８−１と同１８−２の場合には、スイッチ４４に分周装置４２の出力を選択させる。これにより、８Ｂ／１０Ｂ変換器３８は、ＯＮＵ１８−１を宛先に含むペイロードデータを１．２５Ｇｂｐｓで出力し、宛先にＯＮＵ１８−２に対するペイロードデータを２．５Ｇｂｐｓで出力する。
【００２１】
ＯＬＴ制御装置３０は、バッファ３６からの宛先情報をＯＮＵ管理テーブル３２に照合して、宛先のＬＬＩＤを読み出し、プリアンブル生成装置４８に供給する。プリアンブル生成装置４８は、分周装置４２からの１．２５ＧＨｚのクロックに従い、ＯＬＴ制御装置３０からのＬＬＩＤを収容する８バイトのプリアンブルを生成する。但し、ここでは、プリアンブル生成装置４８は、１０ビット長のプリアンブル、即ち８Ｂ／１０Ｂ変換後のプリアンブルを生成する。これにより、プリアンブルを８Ｂ／１０Ｂ変換する手間を無くすことができる。
【００２２】
また、ＩＦＧ生成装置４８は、分周装置４２からの１．２５ＧＨｚのクロックに従い、１．２５Ｇｂｐｓで１２バイト以上のインターフレームギャップを生成する。ここでも、ＩＦＧ生成装置４８は、１０ビット長のインターフレームギャップを生成する。これにより、インターフレームギャップを８Ｂ／１０Ｂ変換する手間を無くすことができる。
【００２３】
多重装置５０は、プリアンブル生成装置４６から出力される８バイト分のプリアンブル、８Ｂ／１０Ｂ変換器３８から出力されるペイロード、及び、ＩＦＧ生成装置４８から出力される１２バイト以上のインターフレームギャップを、この順に時間軸上で多重し、得られた多重信号を電気／光変換器５２に供給する。図２は、ＯＮＵ１８−１に送信するデータのフレーム構成と周波数の関係を示し、図３は、ＯＮＵ１８−２に送信するデータのフレーム構成と周波数の関係を示す。１Ｇｂｐｓに対応するＯＮＵ１８−１に向けたデータフレームでは、図２に示すように、そのプリアンブル、ペイロード及びインターフレームギャップのレートは何れも、１．２５Ｇｂｐｓである。これに対し、２Ｇｂｐｓに対応するＯＮＵ１８−２に向けたデータフレームでは、図３に示すように、そのプリアンブル及びインターフレームギャップのレートが１．２５Ｇｂｐｓで、ペイロードのレートが２．５Ｇｂｐｓである。
【００２４】
電気／光変換器５２は、多重装置５０からの多重信号を光信号に変換し、当該光信号を波長分割多重（ＷＤＭ）光カップラ５４に供給する。ＷＤＭ光カップラ５４は、電気／光変換器５２の出力光信号を光ファイバ１２に出力する。この光信号は、光ファイバ１２を伝送して光カップラ１４に入射する。光カップラ１４は、光ファイバ１２からの光信号を２分割し、分割光信号をそれぞれ光ファイバ１６−１，１６−２に出力する。このようにして、電気／光変換器５２から出力される光信号が、ＯＮＵ１８−１，１８−２に到達する。
【００２５】
ＯＮＵ１８−２は、光ファイバ１６−２からの光信号を以下のように処理する。即ち、光ファイバ１６−２からの光信号は、ＷＤＭ光カップラ７０により光／電気変換器７２に供給される。光／電気変換器７２はＷＤＭ光カップラ７０からの光信号を電気信号に変換する。この電気信号は、データ再生装置７４とクロック再生装置７６に印加される。クロック再生装置７６は、入力電気信号のプリアンブルに同期したクロック（周波数１．２５ＧＨｚ）を再生し、逓倍装置７８は、クロック再生装置７６で再生されたクロックの周波数を２倍にする。逓倍装置７８から出力される２．５ＧＨｚのクロックがデータ再生装置７４に印加される。
【００２６】
データ再生装置７４は、逓倍装置７８からの２．５ＧＨｚのクロックに従い、光／電気変換器７２の出力電気信号のプリアンブル及びペイロードを取り込み、プリアンブルのＬＬＩＤ及びペイロードのイーサネットフレームデータを再生する。データ再生装置７４は、いわば、プリアンブルのＬＬＩＤを倍クロックで読み込んだことになる。データ再生装置７４は、読み込んだＬＬＩＤをＯＮＵ制御装置８０に供給する。ＯＮＵ制御装置８０は、２重に読み込まれたＬＬＩＤから自己宛ての信号か否かを判別し、自己宛であれば、そのペイロード部分の出力をデータ再生装置７４に指示し、自己宛で無ければ、データの破棄をデータ再生装置７４に指示する。
【００２７】
ＯＮＵ制御装置８０は、受信した信号がユニキャストかマルチキャスト／ブロードキャストかをＬＬＩＤにより判別でき、この判別結果により、受信した信号が図２に示すフレーム構成で送信されたか、図３に示すフレーム構成で送信されたかを判別できる。
【００２８】
受信信号が図２に示すフレーム構成である場合、データ再生装置７４は、受信信号のペイロードを倍クロックで取り込んだことになり、データが重複する。そこで、ＯＮＵ制御装置８０は、データ再生装置７４の出力データから重複データ（偶数ビット）を間引くように、重複除去装置８２に指示する。ＯＮＵ制御装置８０からの指示に応じて、重複除去装置８２は、データ再生装置７４の出力データの偶数ビットを除去し、奇数ビットのみを出力する。
【００２９】
他方、受信信号が図３に示すフレーム構成である場合、データ再生装置７４は、受信信号のペイロードを正しいクロックで取り込んだことになる。ＯＮＵ制御装置８０は、重複装置８２にデータ再生装置７４の出力データをスルーするように重複除去装置８２に指示する。ＯＮＵ制御装置８０からの指示に応じて、重複除去装置８２は、データ再生装置７４の出力データをそのまま出力する。
【００３０】
重複除去装置８２を設けることで、簡単な構成により、２Ｇｂｐｓの信号と１Ｇｂｐｓの信号を支障なく受信できる。
【００３１】
勿論、ＯＬＴ１０からのデータのデータレートの判別結果に従い、データ再生装置７４が、対応するレートの周波数でペイロードのデータを再生してもよい。この場合、重複除去装置８２は不要になる。
【００３２】
１０Ｂ／８Ｂ変換器８４は、重複除去装置８２の出力データを１０ビット長から８ビット長に変換し、変換結果をネットワークインターフェース８６に供給する。ネットワークインターフェース８６は、１０Ｂ／８Ｂ変換器８４からのデータを所定のフォーマット、例えば、１０００Ｂａｓｅ−Ｔのイーサネットフレーム構造で、コンピュータ２０−１等に出力する。
【００３３】
他方、ＯＮＵ１８−１は、図２に示すフレーム構造の光信号が入力した場合、周知の方法で、受信できる。図３に示すフレーム構造の光信号が入力した場合、ＯＮＵ１８−１は、プリアンブルとインターフレームギャップの部分は、処理可能であるが、ペイロード部分は、周波数が高すぎて処理できない。しかし、そもそも、図３に示すフレーム構造の信号を受信する必要が無いので、支障ない。プリアンブルとインターフレームギャップを使って、ＯＬＴ１０との同期を維持することができる。
【００３４】
次に、ＯＮＵ１８−２からＯＬＴ１０への上り信号の処理を説明する。コンピュータ２０−１からのイーサネットフレームのデータは、ネットワークインターフェース８６を介して、多重装置９２に供給される。ネットワークインターフェース８６は、コンピュータ２０−１からのデータを一時的に保持するバッファを具備する。ＯＮＵ制御装置８０は、ＯＮＵ１８−２のサービスに応じて予め割り当てられたＬＬＩＤをプリアンブル生成装置８８に供給し、プリアンブル生成装置８８は、そのＬＬＩＤを含む所定長のプリアンブルを発生し、多重装置９２に供給する。ＩＦＧ生成装置９０は、インターフレームギャップを発生し、多重装置９２に供給する。
【００３５】
多重装置９２は、ネットワークインターフェース８６からのデータをペイロードに配置し、時間軸上で、プリアンブル生成装置８８からのプリアンブル、ネットワークインターフェース８６からのデータ、及びＩＦＧ生成装置９０からのインターフレームギャップを、この順に多重する。８Ｂ／１０Ｂ変換器９４は、多重装置９２からの信号を８ビット長から１０ビット長に変換し、２．５Ｇｂｐｓベースで出力する。即ち、ＯＮＵ１８−２が生成する上り信号は、プリアンブル、ペイロード及びＩＦＧのレートが全て、２．５Ｇｂｐｓである。
【００３６】
電気／光変換器９６は、８Ｂ／１０Ｂ変換器９４の出力データを光信号に変換する。電気／光変換器９６から出力される光信号は、ＷＤＭ光カップラ７０、光ファイバ１６−１、光カップラ１４及び光ファイバ１２を介してＯＬＴ１０のＷＤＭ光カップラ５４に入射する。
【００３７】
ＷＤＭ光カップラ５４は、ＯＮＵ１８−２からの光信号を光／電気変換器５６に供給し、光／電気変換器５６は、入力する光信号を電気信号に変換する。この電気信号は、クロック再生装置５８とデータ再生装置６０に印加される。クロック再生装置５８は、入力電気信号のプリアンブルに同期したクロック（周波数２．５ＧＨｚ）を再生し、データ再生装置６０に印加する。
【００３８】
データ再生装置６０は、クロック再生装置５８からの２．５ＧＨｚのクロックに従い、光／電気変換器５６の出力電気信号のプリアンブル及びペイロードを取り込み、プリアンブルのＬＬＩＤ及びペイロードのイーサネットフレームデータを再生する。データ再生装置６０は、読み込んだＬＬＩＤをＯＬＴ制御装置３０に供給する。ＯＬＴ制御装置３０は、ＬＬＩＤから正しいＯＮＵ（ここでは、ＯＮＵ１８−２）からの信号か否かを判別し、正しい信号であれば、そのペイロード部分の出力をデータ再生装置６０に指示し、正しい信号でなければ、データの可否をデータ再生装置６０に指示する。
【００３９】
１０Ｂ／８Ｂ変換器６４は、データ再生装置６０からのデータを１０ビット長から８ビット長に変換し、変換結果をネットワークインターフェース３４に供給する。ネットワークインターフェース３４は、１０Ｂ／８Ｂ変換器６４からのデータを所定のフォーマットでエッジルータ２２に供給する。
【００４０】
このようにして、ＯＮＵ１８−２からＯＬＴ１０に２Ｇｂｐｓで上りデータが伝送される。
【００４１】
ＯＮＵ１８−１からＯＬＴ１０への上り信号の処理を説明する。ＯＮＵ１８−１は、既存の１Ｇｂｐｓで動作するので、１Ｇｂｐｓのプリアンブル、ペイロード及びＩＦＧからなる上り光信号を光ファイバ１６−２に出力する。ＯＮＵ１８−１が出力する上り光信号は、ＯＮＵ１８−２が出力する上り光信号とは単にレートが異なる。ＯＮＵ１８−１から出力される上り光信号は、光ファイバ１６−１、光カップラ１４及び光ファイバ１２を介してＯＬＴ１０のＷＤＭ光カップラ５４に入射する。
【００４２】
ＷＤＭ光カップラ５４は、ＯＮＵ１８−１からの光信号を光／電気変換器５６に供給し、光／電気変換器５６は、光信号を電気信号に変換する。この電気信号は、クロック再生装置５８とデータ再生装置６０に印加される。クロック再生装置５８は、入力電気信号のプリアンブルに同期したクロック（ここでは、周波数１．２５ＧＨｚ）を再生し、データ再生装置６０に印加する。
【００４３】
データ再生装置６０は、クロック再生装置５８からの１．２５ＧＨｚのクロックに従い、光／電気変換器５６の出力電気信号のプリアンブル及びペイロードを取り込み、プリアンブルのＬＬＩＤ及びペイロードのイーサネットフレームデータを再生する。データ再生装置６０は、読み込んだＬＬＩＤをＯＬＴ制御装置３０に供給する。ＯＬＴ制御装置３０は、ＬＬＩＤから正しいＯＮＵ（ここでは、ＯＮＵ１８−１）からの信号か否かを判別し、正しい信号であれば、そのペイロード部分の出力をデータ再生装置６０に指示し、正しくない信号であれば、データの破棄をデータ再生装置６０に指示する。
【００４４】
１０Ｂ／８Ｂ変換器６４は、データ再生装置６０からのデータを１０ビット長から８ビット長に変換し、変換結果をネットワークインターフェース３４に供給する。ネットワークインターフェース３４は、１０Ｂ／８Ｂ変換器６４からのデータを所定のフォーマットでエッジルータ２２に供給する。
【００４５】
このようにして、ＯＮＵ１８−１からＯＬＴ１０に１Ｇｂｐｓで上りデータが伝送される。
【００４６】
ＯＬＴ１０からＯＮＵ１８−２に送信する下り信号のペイロードのサイズが奇数の場合、インターフレームギャップが、ペイロードの前のプリアンブルと同期しなくなる。これを防ぐために、例えば、多重装置５０が、ペイロードのサイズが奇数の場合に、ペイロードの最後に、予約コード（例えば、Ｋ２８．０）からなる１バイトを埋め草又はフィリングバイトとして追加する。
【実施例２】
【００４７】
本発明の第２実施例を説明する。第２実施例の概略構成ブロック図を図４に示す。図１に示す実施例から変更される構成要素には、符号にａを付加してある。図１に示す実施例からの変更部分を説明する。
【００４８】
この実施例では、２Ｇｂｐｓ対応のＯＮＵ１８−２ａからＯＬＴ１０ａへの上り信号のフレーム構成を図３に示す構成とした。即ち、上り信号のプリアンブルとインターフレームギャップのレートは、２Ｇｂｐｓ対応のＯＮＵ１８−２ａと１Ｇｂｐｓ対応の既存のＯＮＵ１８−１とで同じレート、ここでは１Ｇｂｐｓにした。
【００４９】
先ず、ＯＮＵ１８−２ａからＯＬＴ１０ａへの上り信号の処理を説明する。コンピュータ２０−１からのイーサネットフレームのデータは、ネットワークインターフェース８６を介して、８Ｂ／１０Ｂ変換器９４ａに入力する。８Ｂ／１０Ｂ変換器９４ａは、ネットワークインターフェース８６からのデータを８ビット長符号から１０ビット長符号に変換し、変換結果をペイロードデータとして２．５Ｇｂｐｓで出力する。
【００５０】
ＯＮＵ制御装置８０ａは、送信すべきデータの発信元に応じたＬＬＩＤをプリアンブル生成装置８８ａに供給する。プリアンブル生成装置８８ａは、ＯＮＵ制御装置８０ａからのＬＬＩＤを収容する、１．２５Ｇｂｐｓで８バイトのプリアンブルを生成する。但し、ここでは、プリアンブル生成装置８８ａは、１０ビット長のプリアンブル、即ち８Ｂ／１０Ｂ変換後のプリアンブルを生成する。これにより、プリアンブルを８Ｂ／１０Ｂ変換する手間を無くすことができる。
【００５１】
また、ＩＦＧ生成装置９０ａは、１．２５Ｇｂｐｓで１２バイト以上のインターフレームギャップを生成する。ここでも、ＩＦＧ生成装置９０ａは、１０ビット長のインターフレームギャップを生成する。これにより、インターフレームギャップを８Ｂ／１０Ｂ変換する手間を無くすことができる。
【００５２】
多重装置９２ａは、プリアンブル生成装置８８ａから出力される８バイト分のプリアンブル、８Ｂ／１０Ｂ変換器９４ａから出力されるペイロード、及び、ＩＦＧ生成装置９０ａから出力される１２バイト以上のインターフレームギャップを、この順に時間軸上で多重し、得られた多重信号を電気／光変換器９６に供給する。多重装置９２ａの出力信号のフォーマットは、図３に示すものと同様になり、そのプリアンブル及びインターフレームギャップのレートは１．２５Ｇｂｐｓになり、ペイロードのレートは２．５Ｇｂｐｓになる。
【００５３】
８Ｂ／１０Ｂ変換後のペイロードのサイズが奇数の場合、インターフレームギャップが、ペイロードの前のプリアンブルと同期しなくなる。これを防ぐために、多重装置９２ａが、ペイロードのサイズが奇数の場合に、ペイロードの最後に、予約コード（例えば、Ｋ２８．０）からなる１バイトを埋め草又はフィリングバイトとして追加する。
【００５４】
電気／光変換器９６は、多重装置９２ａの出力データを光信号に変換する。電気／光変換器９６から出力される光信号は、ＷＤＭ光カップラ７０、光ファイバ１６−２、光カップラ１４及び光ファイバ１２を介してＯＬＴ１０ａのＷＤＭ光カップラ５４に入射する。
【００５５】
本実施例では、ＯＮＵ１８−２ａからの上り信号とＯＮＵ１８−１からの上り信号との間で、ペイロードのレートのみが異なる。これに応じて、ＯＬＴ１０ａの上り信号処理系は、ＯＮＵ１８−２の下り信号処理系と同様な構成に変更される。具体的に動作を説明する。
【００５６】
ＷＤＭ光カップラ５４は、ＯＮＵ１８−２ａからの光信号を光／電気変換器５６に供給し、光／電気変換器５６は、入力する光信号を電気信号に変換する。この電気信号は、クロック再生装置５８とデータ再生装置６０ａに印加される。クロック再生装置５８は、入力電気信号のプリアンブルに同期したクロック（周波数１．２５ＧＨｚ）を再生する。逓倍装置５９ａは、クロック再生装置５８で再生されたクロックの周波数を２倍にする。逓倍装置５９ａから出力される２．５ＧＨｚのクロックがデータ再生装置６０ａに印加される。
【００５７】
データ再生装置６０ａは、逓倍装置５９ａからの２．５ＧＨｚのクロックに従い、光／電気変換器５６の出力電気信号のプリアンブル及びペイロードを取り込み、プリアンブルのＬＬＩＤ及びペイロードのイーサネットフレームデータを再生する。データ再生装置６０ａはいわば、プリアンブルのＬＬＩＤを倍クロックで読み込んだことになる。データ再生装置６０ａは、読み込んだＬＬＩＤをＯＬＴ制御装置３０ａに供給する。ＯＬＴ制御装置３０ａは、２重に読み込まれたＬＬＩＤから、データが正しいＯＮＵから送信されたものか否かを判別し、ただしければ、そのペイロード部分の出力をデータ再生装置６０ａに指示し、正しくなければ、データの破棄をデータ再生装置６０ａに指示する。
【００５８】
ＯＬＴ制御装置３０ａは、上り信号の発信元から、上り信号のペイロードのレートが１．２５Ｇｂｐｓか２．５Ｇｂｐｓかを判別できる。具体的には、ＯＮＵ１８−２ａからの上り信号のペイロードのレートは、２．５Ｇｂｐｓである。この場合、データ再生装置７４は、上り信号のペイロードを正しいクロックで取り込んだことになる。この場合、ＯＬＴ制御装置３０ａは、ＯＮＵ１８−２ａからの上り信号に対しては、データ再生装置６０ａの出力データをスルーするように重複除去装置６２ａに指示する。重複除去装置６２ａは、ＯＬＴ制御装置３０ａからの指示に従い、データ再生装置６０ａの出力データをそのまま出力する。
【００５９】
他方、ＯＮＵ１８−１からの上り信号のペイロードのレートは、１．２５Ｇｂｐｓである。この場合、データ再生装置７４は、上り信号のペイロードを倍クロックで取り込んだことになり、データが重複する。そこで、ＯＬＴ制御装置３０ａは、ＯＮＵ１８−２からの上り信号に対しては、データ再生装置６０ａの出力データから重複データ（偶数ビット）を間引くように、重複除去装置６２ａに指示する。重複除去装置６２ａは、ＯＬＴ制御装置３０ａからの指示に従い、データ再生装置６０ａの出力データの偶数ビットを破棄し、奇数ビットをそのまま出力する。
【００６０】
重複除去装置６２ａを設けることで、ＯＬＴ１０ａは、ペイロード部分のレートが異なる２種類の上り信号を処理できる。
【００６１】
勿論、ＯＮＵ１８−１，１８−２ａからのデータのデータレートを判別した結果に従い、データ再生装置６０ａが、対応するレートの周波数でペイロードのデータを再生してもよい。この場合、重複除去装置６２ａは不要になる。
【００６２】
１０Ｂ／８Ｂ変換器６４は、重複除去装置６２ａからのデータを１０ビット長から８ビット長に変換し、変換結果をネットワークインターフェース３４に供給する。ネットワークインターフェース３４は、１０Ｂ／８Ｂ変換器６４からのデータを所定のフォーマットでエッジルータ２２に供給する。
【００６３】
このようにして、ＯＬＴ１０ａは、ＯＮＵ１８−２ａからのデータレート２Ｇｂｐｓの上りデータと、ＯＮＵ１８−１からのデータレート１Ｇｂｐｓの上りデータを同様に処理できる。
【００６４】
実施例１，２において、ＯＮＵ１８−２，１８−２ａは、少なくとも上り信号のペイロード部分を２．５Ｇｂｐｓで送信するとしたが、互換性を維持するためには、１．２５Ｇｂｐｓの送信を選択可能にしておくのが好ましい。１Ｇｂｐｓのみに対応可能なＯＬＴを依然として使い続ける場合があるからである。
【００６５】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【符号の説明】
【００６６】
１０，１０ａ：光終端装置（ＯＬＴ）
１２：光ファイバ
１４：光カップラ
１６−１，１６−２：光ファイバ
１８−１，１８−１ａ，１８−２：光終端装置（ＯＮＵ）
２０−１，２０−２：コンピュータ
２２：エッジルータ
３０，３０ａ：ＯＬＴ制御装置
３２：ＯＮＵ管理テーブル
３４：ネットッワークインターフェース
３６：バッファ
３８：８Ｂ／１０Ｂ変換器
４０：発振器
４２：分周装置
４４：スイッチ
４６：プリアンブル生成装置
４８：ＩＦＧ生成装置
５０：多重装置
５２：電気／光変換器
５４：波長分割多重（ＷＤＭ）光カップラ
５６：光／電気変換器
５８：クロック再生装置
５９ａ：逓倍装置
６０，６０ａ：データ再生装置
６２ａ：重複除去装置
６４：１０Ｂ／８Ｂ変換器
７０：ＷＤＭ光カップラ
７２：光／電気変換器
７４：データ再生装置
７６：クロック再生装置
７８：逓倍装置
８０，８０ａ：ＯＮＵ制御装置
８２：重複除去装置
８４：１０Ｂ／８Ｂ変換器
８６：ネットワークインターフェース
８８，８８ａ：プリアンブル生成装置
９０，９０ａ：ＩＦＧ生成装置
９２，９２ａ：多重装置
９４，９４ａ：８Ｂ／１０Ｂ変換器
９６：電気／光変換器
【図１】
2011045150.tif 000003
【図２】
2011045150.tif 000004
【図３】
2011045150.tif 000005
【図４】
2011045150.tif 000006